(57)【要約】      （修正有）【課題】派遣員の派遣先を表示する派遣表を容易に作成するとともに、派遣員の派遣業務をより効率的に遂行できるようになる人材派遣支援ソフトを提供する。【解決手段】パソコンの表示画面に派遣先表示欄、派遣員表示欄、等を設けそこに、それぞれの条件によって色分けされた派遣先名なり派遣員名、等を表示できるようにするとともに、マウスのドラッグアンドドロップ機能を使ってそれぞれを画面上で移動可能としたり、派遣先名なり派遣員名の詳しい情報を、メニューバーのメニューによりあるいはそれぞれの移動位置からポップアップメニューにより、現在あるいは過去の各種の情報を容易に参照できるようすることによって、人材の派遣業務をより効率的に遂行できるようにする。【選択図】図１２
2008250969.tif 000002
【特許請求の範囲】
【請求項１】
パソコンの表示画面で派遣先名および派遣員名を、マウスのドラッグアンドドロップ機能により自由に移動して、派遣員の派遣先を表示する派遣表を容易に作成できるようになっている表示画面を有する、人材派遣支援ソフト。
【請求項２】
各派遣先や派遣員の個別情報を、派遣先名あるいは派遣員名の表示位置から開かれるポップアップメニューの中や、メニューバーのメニューの中や、表示画面の中や、そのポップアップメニューやメニューバーのメニューの項から開かれるページ、等にリアルタイムにそれぞれの個別情報を表示させるようになっている表示画面を有する、人材派遣支援ソフト。
【請求項３】
各派遣先表示欄や各派遣員表示欄を必要に応じて必要な位置で自由に追加したり、削除したり、あるいはそれらの数を多くしたり、少なくしたり、できるようにすることができるようになっている表示画面を有する、人材派遣支援ソフト。
【請求項４】
派遣先・派遣員段枠を必要に応じて自由にマウスホイール等でスクロールできたり、一部の表示段枠はそのとき特別に固定されスクロールされなくすることができるようになっている表示画面を有する、人材派遣支援ソフト。
【請求項５】
メニューバーのメニューバーのメニューあるいは任意の位置の空欄の各派遣先表示欄や空欄の各派遣員表示欄からそれぞれ新しい派遣先や新しい派遣員を自由に登録、削除、派遣先の元請会社を変更、できるようになっている表示画面を有する、人材派遣支援ソフト。
【請求項６】
各派遣先名あるいは各派遣員名がその派遣状態の状況により、各派遣先名や各派遣員名の表示色、あるいは各派遣先表示欄や各派遣員表示欄の表示色を、色分け表示させるようになっている表示画面を有する、人材派遣支援ソフト。
【請求項７】
マウスにより各派遣先や各派遣員に、ドラッグとか、ポップアップメニューを開くとかの操作をするとき、操作可能な各派遣先表示欄や各派遣員表示欄、等のみをアンダーバーで表示させるようになっている表示画面を有する、人材派遣支援ソフト。
【請求項８】
各派遣先や派遣員の固有名の位置をｎ分割しそれぞれの位置からｎ種類のポップアップメニューを開くことができるようになっている表示画面を有する、人材派遣支援ソフト。
【請求項９】
毎回の派遣表を蓄積をするとともに、メニューバーのメニューあるいはポップアップメニューにより、表示中の派遣表をコピーして任意の日付の同じ内容の派遣表を作成できるようになっている表示画面を有する、人材派遣支援ソフト。
【請求項１０】
過去の日付の派遣表を表示中、メニューバーのメニューあるいはポップアップメニューからのワンクリック操作により、新しく作成中の日勤あるいは夜勤の派遣表を表示できるようになっている、人材派遣支援ソフト。
【請求項１１】
基本枠のいろいろな組み合わせからなる表示段枠の追加あるいは削除がマウスのクリックのみで容易にできるようになっている、人材派遣支援ソフト。
【請求項１２】
各派遣先と各派遣員の表示のない新規の派遣表をマウスのクリックのみで容易に新規作成できるようになっている、人材派遣支援ソフト。
【請求項１３】
作成済の任意の日付の派遣表の表示や削除をマウスのクリックのみで容易にできるようになっている、人材派遣支援ソフト。
【請求項１４】
インターネットから取得したヤフー写真、カメラやデジタルカメラから取得した写真、カメラ付き携帯電話から取得した写真やメモ写真、等いろいろなイメージ媒体から取得したイラスト、写真、等のイメージを、各表示位置の派遣先名や派遣員名をクリックして表示させたポップアップメニューから開き、見ることができるようになっている、人材派遣支援ソフト。
【請求項１５】
画面の任意の派遣先名をマウスでクリックするとその派遣先のデータたとえば要請数  連絡済  派遣数、派遣先名、要請人数、派遣人数、連絡済人数、連絡済か？、人数オーバーか？、登録年月日、登録後経過日数、登録者名簿提出済か？、前々回のデータ、前回のデータ、今日のメモ、常時伝達事項、派遣先の各ページ、会社名とＴＥＬ、所長名とＴＥＬ、監督名とＴＥＬ、担当者名とＴＥＬ、工事内容、派遣先の地名、職員リスト、各種のイメージ、等をポップアップメニューに表示させるようになっている人材派遣支援ソフト。
【請求項１６】
画面の任意の派遣員名をマウスでクリックするとその派遣先のデータたとえば派遣員氏名、登録年月日、経験年数、連絡済か？（切替可能）、報告済か？（切替可能）、「出入り禁止状態」、「出入りＯＫ」、新規入場派遣先、休暇予定日、前回のデータ、前々回のデータ、前回派遣先の派遣先名、前々回派遣先の派遣先名、先月の派遣実績日数？、前々回のデータ、前回のデータ、今日のメモ、常時伝達事項、派遣員の各ページ、社員コードと性別、所属、電話番号、新規入場年月日、通勤手段、資格、入社年月日、経験年数、生年月日、年齢、住所、前回現任新任教育年月日、前回健康診断日、各種のイメージ、等をポップアップメニューに表示させるようになっている人材派遣支援ソフト。
【請求項１７】
各派遣先の情報に関し、派遣表の基本情報、今日のメモ、常時伝達事項、派遣派遣員リスト、派遣派遣員別月別派遣日数および総派遣日数、登録者名簿提出済派遣員、今日のメモ履歴、派遣派遣員履歴、派遣要請数や派遣数や欠員数の履歴、出入り禁止や解除派遣員、工事状況履歴、所管支店名や派遣先コードや派遣先整理コード、特記事項、イメージ、ランク分類、勤務時間や労賃、勤務時間や労賃等の履歴、月別の勤務時間や労賃、売上や粗利率、売上や粗利率等の履歴、月別の売上や粗利率、特記事項のタイトルを表示・編集、イメージのタイトルを表示・編集、ランク分類項目やランク分類の内容、等の表示・編集・データの蓄積ができるようになっている、人材派遣支援ソフト。
【請求項１８】
各派遣員の情報に関し、今日のメモ、常時伝達事項、派遣先派遣先リスト、登録者名簿提出先派遣先、出入り禁止派遣先リスト、月別派遣日数や総派遣日数、今日のメモの履歴、派遣日や勤務や派遣先派遣先の履歴、休暇予定の履歴、現役状況やコメントの履歴、所管支店名や派遣員コードや派遣員整理コード、特記事項、イメージ、ランク分類、勤務時間や労賃、勤務時間や労賃等の履歴、月別の勤務時間や労賃、売上や粗利率、売上や粗利率等の履歴、月別の売上や粗利率、特記事項のタイトルを表示・編集、イメージのタイトルを表示・編集、ランク分類項目、ランク分類の内容、等の表示・編集・データの蓄積ができるようになっている、人材派遣支援ソフト。
【請求項１９】
各派遣先の元請会社の情報に関し、基本情報、今日のメモ、工事中派遣先リスト、工事状況、コメント、今日のメモ履歴、会社状況やコメントの履歴、所管支店名や元請会社名や元請会社コード、特記事項のタイトルを表示・編集、特記事項、ランク分類、ランク分類項目、ランク分類の内容、等の表示・編集・データの蓄積ができるようになっている、人材派遣支援ソフト。
【請求項２０】
各派遣先の統計・分析情報に関し、全登録派遣先のコード一覧、派遣派遣員リスト、登録者名簿の提出済派遣員リスト、今日のメモ、派遣要請数、派遣数、欠員数、派遣派遣員名、出入り禁止派遣員リスト、表示状況や工事状況や登録年月日やコメント、派遣表での表示派遣先の登録日や派遣先整理コードや元請会社や元請会社コード、特記事項＿ｎ別リスト、イメージ＿ｎ別リスト、ランク分類＿ｎ別リスト、勤務時間の労賃、月別の勤務時間や労賃、月別の勤務時間や労賃、項目別売上や粗利率、月別の売上や粗利率、月別の項目別売上や粗利率、勤務時間や労賃、売上や粗利率、等の表示・編集・データの蓄積ができるようになっている、人材派遣支援ソフト。
【請求項２１】
各派遣員の統計・分析情報に関し、全登録派遣員やコード一覧、派遣先派遣先リスト、月別の派遣先派遣日数、登録者名簿の提出先派遣先リスト、今日のメモリスト、派遣先派遣先リスト、連絡済や報告済リスト、出入り禁止派遣先リスト、休暇予定日リスト、表示状況や現役状況やコメント、登録日や派遣員コードリスト特記事項＿ｎ別リスト、イメージ＿ｎ別リスト、ランク分類＿ｎ別リスト、勤務時間や労賃、月別の勤務時間や労賃、月別の勤務時間や労賃、項目別売上や粗利率、月別の売上や粗利率、月別の項目別の売上や粗利率、等の表示・編集・データの蓄積ができるようになっている、人材派遣支援ソフト。
【請求項２２】
各元請会社の統計・分析情報に関し、全登録元請会社や派遣先やコード一覧、全元請会社一覧、今日のメモリスト、工事状況やコメントリスト、特記事項＿ｎ別リスト、ランク分類＿ｎ別リスト、売上や粗利率、月別の売上や粗利率、月別の項目別の売上や粗利率、等の表示・編集・データの蓄積ができるようになっている、人材派遣支援ソフト。
【請求項２３】
請求項１、請求項２、請求項３、請求項４、請求項５、請求項６、請求項７、請求項８、請求項９、請求項１０、請求項１１、請求項１２、請求項１３、請求項１４、請求項１５、請求項１６、請求項１７、請求項１８、請求項１９、請求項２０、請求項２１、請求項２２、記載の機能を有する派遣員派遣支援情報表示装置。
【発明の詳細な説明】
【技術分野】
【０００１】  本発明は、パソコンを使用した人材派遣支援ソフトに関する。
【背景技術】
【０００２】  従来の派遣員の派遣業務は、ホワイトボード、等を升目状に区切り派遣先表示欄、派遣要請数表示欄、派遣員表示欄、等を設け、その区間の各欄に固有の派遣先名なり派遣員名を、記入したり文字板を貼り付けたりし、派遣員を表示するようにしたものが大半である。
【発明の開示】
【発明が解決しようとする課題】
【０００３】  しかしながら、この方法では派遣先の状況や派遣員の状態をより詳細に把握しての人材派遣作業には限界があった。また、過去の派遣結果を参考にするにも詳細に把握することが難しいという問題点があった。【０００４】    本発明は、派遣先名および派遣員名をパソコンの表示画面の各派遣先表示欄や各派遣員表示欄を、マウスのドラッグアンドドロップ機能により自由に移動し、派遣員の派遣先を表示する派遣表を容易に作成するとともに、任意の移動先で、その派遣先あるいは派遣員のいろいろな情報を参照したいとき、その派遣先名あるいは派遣員名をクリックすることによって、その派遣先および派遣員のそれぞれの詳しい情報を過去、現在にわたってを容易に知ることがきるようにすることによって、派遣員の派遣業務をより効率的に遂行できるようになる人材派遣支援ソフト、を提供することを目的としている。
【課題を解決するための手段】
【０００５】  本発明は、派遣員を派遣するため、派遣先名や各派遣員名のリアルタイムの情報を、パソコンの表示画面に設けられた派遣先表示欄、派遣員表示欄、等をマウスでドラッグアンドドロップし自由に移動できるようにし、その移動した任意の各派遣先名や各派遣員名の位置からのポップアップメニューにリアルタイムの情報を表示したり、そのポップアップメニューや画面のメニューバー５のメニューからそれぞれの情報を表示するページを表示することによって上記課題を解決する。
【発明の効果】
【０００６】  本発明は、派遣先および派遣員を画面上で自由に移動し、派遣員の派遣先を表示する派遣表を簡単に、容易に作成するとともに、その派遣先および派遣員のいろいろな情報を簡単に参照したいとき、その派遣先名あるいは派遣員名をクリックすることによって、その派遣先および派遣員の情報を簡単に知ることができるようになるので、派遣作業を効率よくよりて的確に行うことができる。【０００７】  また、この人材派遣支援ソフト、「派遣員・派遣先派遣表」やホワイトボード、等で作成した派遣先と派遣員の派遣情報および関連情報を蓄積することによって、新しく作成する日々の派遣員の派遣作業をよりよいものにすることができる、という効果を発揮する。
【発明を実施するための最良の形態】
【０００８】  以下、本発明の実施の形態を図１〜図１２に基づいて説明する。【０００９】  図１は、派遣先表示欄１、ひとつと派遣員表示欄２、ひとつで構成した表示画面の基本枠である。図７は、派遣先表示欄１、ひとつと派遣員表示欄２、ひとつを横に配置した基本枠である。【００１０】  図２は、派遣先表示欄１、ひとつと派遣員表示欄２、ふたつで構成した表示画面の基本枠である。図８は、派遣先表示欄１、ひとつと派遣員表示欄２、ふたつを横に配置した基本枠である。【００１１】  図３は、派遣先表示欄１、ひとりと派遣員表示欄２、４つで構成した表示画面の基本枠である。【００１２】  図４は、派遣先表示欄１、ひとつと派遣員表示欄２、４つの基本枠５個で構成した表示画面の表示段枠である。図９は、派遣先表示欄１、ひとつと派遣員表示欄２、１８個で構成した段枠である。【００１３】  図５は、派遣先表示欄１、ひとつと派遣員表示欄２、１０個で構成した表示画面の表示段枠である。図１０は、派遣先表示欄１、ひとつと派遣員表示欄２、９個を横に配置した段枠である。【００１４】  図６は、図４と図５の表示段枠を連結し構成したものである。図１１は、図１０と図９の表示段枠を連結し構成したものである。【００１５】  図１２において、表示段枠図４を２個と基本枠図３を２個と派遣先表示欄１とそれぞれ６人の派遣員表示欄２を表示する基本枠を左右に連結した表示段枠を組み合わせた、スクロール可能な表示段枠と、１箇の待機要員欄と２０人の派遣員表示欄を有するスクロールされない、待機要員表示段枠９で構成され、上部にメニューバーを配したパソコンの表示画面３である。【００１６】  以下、本発明の実施の形態において、派遣先を現場とし、派遣員を警備員として、人材派遣支援ソフトを「警備員・現場派遣表」として実現している。以下、図１２により実施の人材派遣支援ソフト「警備員・現場派遣表」の表示画面３について説明する。【００１７】  図において、「警備員・現場派遣表」の表示画面３の、配置モードあるいは参照モードの表示位置１０をクリックすることにより、配置モードと参照モードの切り替えが可能となっている。【００１８】  「警備員・現場派遣表」の表示画面３の配置モードには、現場名の移動、警備員名の移動、現場・警備員段枠の追加、現場・警備員段枠の削除、現場・警備員枠の拡大、現場・警備員枠の縮小、待機要員段枠の拡大、待機要員段枠の縮小、画面のスクロール、スクロールしない待機要員表示段枠９、配置モードから参照モードへの切り替え、タイトル名の変更、派遣表の使用事務所の表示、日付け、曜日と勤務の表示、時計を表示、等々の機能がある。ちなみにここで、現場表示欄と警備員表示欄とで構成した基本枠を現場・警備員枠と名づけ、現場・警備員枠を連結した表示段枠を現場・警備員段枠８と名づけている。【００１９】  ここで、マウスのドラッグアンドドロップ機能を使用し、ある現場表示欄１に表示されている現場名を別の空欄の現場表示欄１に自由に移動できるようになっている。【００２０】  同様に、マウスのドラッグアンドドロップ機能を使用し、ある警備員表示欄２に表示されている警備員名を別の空欄の警備員表示欄２に自由に移動できるようになっている。【００２１】  ��して、現場・警備員段枠８の追加は、マウスを枠の左端の段枠と段枠の境の追加ポイント６に置くと赤い三角マーク現れそれをクリックし表示される段枠の追加のページにより追加することができる。【００２２】  また、現場・警備員段枠８の削除は、派遣表の左端のラインの外でｎ段目の現場・警備員段枠８の表示段枠の削除ポイント７ところに移動すると青色の縦のラインが現れ、その位置でマウスの左ボタンをクリックするとポップアップメニューが表示され、それをクリックするとこの段枠全て空欄のとき削除することができる。【００２３】  そして、現場・警備員段枠８の拡大は、派遣表の任意の段の現場・警備員段枠８の下辺の表示段枠の拡大、縮小の操作ポイント１１に移動すると増減可能を意味するカーソルが現れ、その位置でマウスの左ボタンを押し下げ、一行以上の幅で下方に移動すると、拡大することができる。【００２４】  逆に、現場・警備員段枠８の縮小は、派遣表の任意の段の現場・警備員段枠８の下辺の表示段枠の拡大、縮小の操作ポイント１１に移動すると増減可能を意味するカーソルが現れ、その位置でマウスの左ボタンを押し下げ、一行以上の幅で上方に移動すると、縮小することができる。【００２５】  そして、待機要員段枠９の拡大は、派遣表の任意の段の待機要員段枠９の下辺の表示段枠の拡大、縮小の操作ポイント１１に移動すると増減可能を意味するカーソルが現れ、その位置でマウスの左ボタンを押し下げ、一行以上の幅で下方に移動すると、拡大することができる。【００２６】  逆に、待機要員段枠９の縮小は、派遣表の任意の段の待機要員段枠９の下辺の表示段枠の拡大、縮小の操作ポイント１１に移動すると増減可能を意味するカーソルが現れ、その位置でマウスの左ボタンを押し下げ、一行以上の幅で上方に移動すると、縮小することができる。【００２７】  そして、画面のスクロールは、派遣表の任意の位置でマウスの中央のマウスフォイールを回すと、現場・警備員段枠全体が上下にスクロールされる。しかし、このとき待機要員段枠９はスクロールしないようになっている。【００２８】  また、現場名はその現場の状況により、色分けして表示されるようになっている。たとえば、派遣警備員数が派遣要請数に比べ多いときは赤色で、派遣警備員数が派遣要請数に比べ少ないときは紫色で、派遣警備員の少なくとも一人連絡済でないときは緑色で、派遣要請数がゼロで派遣警備員数がゼロのときは灰色で、全て満足にいっているときは黒色で、表示されるようになっている。【００２９】  同様に、警備員名はその警備員の状況により、色分けして表示されるようになっている。たとえば、派遣警備員がその現場から出入り禁止になっているときには赤色で、派遣警備員が連絡済で報告済でないときには青色で、派遣警備員が報告済で連絡済でないときには緑色で、派遣警備員が報告済でなくかつ連絡済でないときには灰色で、派遣警備員が出入りＯＫで連絡済で報告済のときには黒色で、表示されるようになっている。【００３０】  そして、タイトル名を変更することができるようになっている。【００３１】  また、派遣表の使用事務所の表示、日付け、曜日と勤務の表示、時計を表示、が常に表示されている。【００３２】  そして、「警備員・現���派遣表」３の参照モードには、任意の警備員欄から新しい警備員名を登録したり、任意の現場欄に非表示中の現場名を表示したり、任意の警備員欄に非表示中の警備員名を表示したり、現場名を非表示にしたり、警備員名を非表示にしたり、画面をスクロールしたり、参照モードから配置モードへの切り替えをしたり、タイトル名の変更、派遣表の使用事務所の表示、日付け、曜日と勤務の表示、時計を表示、等々を行う機能がある。【００３３】  また、任意の空欄の警備員欄２の位置から、ポップアップメニューを表示させ、「警備員名を登録する」を開いて、新しい警備員名を登録することができる。【００３４】  同様に、任意の空欄の現場欄１の位置から、ポップアップメニューを表示させ、「現場名を表示にする」を開いて、任意の非表示中の現場名をその位置に表示することができる。【００３５】  同様に、任意の空欄の警備員欄２の位置から、ポップアップメニューを表示させ、「警備員名を表示にする」を開いて、任意の非表示中の警備員名をその位置に表示することができる。【００３６】  そして、表示中の現場名の位置から、ポップアップメニューを表示させ、「現場名を非表示にする」を開いて、その現場名を非表示にするとともにその現場欄を空欄にすることができる。【００３７】  同様に、表示中の警備員名の位置から、ポップアップメニューを表示させ、「警備員名を非表示にする」を開いて、その警備員名を非表示にするとともにその警備員欄を空欄にすることができる。【００３８】  参照モードでも同様に、画面のスクロールは、「警備員・現場派遣表」の表示画面３の任意の位置でマウスの中央のマウスフォイールを回すと、現場・警備員段枠全体が上下にスクロールされる。しかし、このとき待機要員の表示段枠９はスクロールされないようになっている。【００３９】  また、参照モードでも同様に、派遣表の使用事務所の表示、日付け、曜日と勤務の表示、時計を表示、が常に表示されている。【００４０】  現場欄の現場名の左３分の１の上にマウスを持っていきマウスの左ボタンをクリックすると、以下のようなポップアップメニュー項目、「現場名、登録年月日、登録後経過日数、を表示」「要請人数、配置人数、を表示」「連絡済人数を表示」「前回のデータ（派遣の警備員数、派遣の警備員名）」「前々回のデータ（派遣の警備員数、派遣の警備員名）」「現場名、登録年月日、登録後経過日数、を表示、要請人数、配置人数、を表示、連絡済人数を表示、前回のデータ（派遣の警備員数、派遣の警備員名）」「前々回のデータ（派遣の警備員数、派遣の警備員名）」「常時伝達事項」「今日のメモ１」「今日のメモ２」「今日のメモ３」、等が表示されその現場の個別情報が次項とともに表示される。【００４１】  また、現場欄の現場名の左３分の１の上にマウスを持っていきマウスの左ボタンをクリックすると、前項に加えて以下のようなたくさんのポップアップメニュー項目、全登録現場一覧と情報表示現場の設定」「この現場の派遣表の基本情報を表示する」「この現場の今日のメモ、常時伝達事項を表示・編集する」「この現場の各日付までの派遣警備員リストを表示する」「この現場の各日付までの派遣警備員別、月別派遣日数、総派遣日数を表示する」「���の現場の登録者名簿提出済警備員を表示・編集する」「この現場の今日のメモ履歴を表示する」「この現場の派遣警備員履歴を表示する」「この現場の派遣要請数、派遣数、欠員数、履歴を表示する」「この現場の出入り禁止、解除警備員、を表示・編集及び履歴のリストを表示する」「この現場の工事状況、コメント、履歴のリストを表示・編集する」「この現場の所管支店名、現場コード、現場整理コード、を表示、変更する」「この現場の「１〜２０の特記事項」を表示・編集する」「この現場の１〜２０のイメージを表示・編集する」「この現場のランク分類を表示・編集する」「現場の１〜２０の特記事項のタイトルを表示・編集する」「現場の１〜２０のイメージのタイトルを表示・編集する」「現場のランク分類項目、ランク分類の内容、を表示・編集する」「この現場の各日付での勤務時間、労賃、等を表示する」「この現場の各日付までの勤務時間、労賃」、等の履歴を表示する」「この現場の各日付までの月別、勤務時間、労賃、等を表示する」「この現場の各日付での売上、粗利率、等を表示する」「この現場の各日付までの売上、粗利率、等の履歴を表示する」「この現場の各日付までの月別、売上、粗利率、等を表示する」、等の項目が表示され、その項目をクリックしてそれぞれのページを開き処理することができる。【００４２】  また、現場欄の現場名の中央１／３の部分の上にマウスを持っていきマウスの左ボタンをクリックすると、以下のようなポップアップメニュー項目、「現場名を表示」「特記事項１の内容を表示」「特記事項２の内容を表示」「特記事項３の内容を表示」「特記事項４の内容を表示」「特記事項５の内容を表示」「特記事項６の内容を表示」「特記事項７の内容を表示」「特記事項８の内容を表示」「特記事項９の内容を表示」「特記事項１０の内容を表示」「特記事項１１の内容を表示」「特記事項１２の内容を表示」「特記事項１３の内容を表示」「特記事項１４の内容を表示」「特記事項１５の内容を表示」「特記事項１６の内容を表示」「特記事項１７の内容を表示」「特記事項１８の内容を表示」「特記事項１９の内容を表示」「特記事項２０の内容を表示」、等とその現場の特記事項が次項とともに表示される。【００４３】  また、現場欄の現場名の中央１／３の部分の上にマウスを持っていきマウスの左ボタンをクリックすると、前項に加えて次のポップアップメニュー項目、「上記の１〜２０特記事項を編集する」、等が表示され、クリックし１〜２０の特記事項を編集することができる。【００４４】  また、現場欄の現場名の右１／３の部分の上にマウスを持っていきマウスの左ボタンをクリックすると、以下のようなポップアップメニュー項目、「現場名を表示」「イメージ１の内容を表示」「イメージ２の内容を表示」「イメージ３の内容を表示」「イメージ４の内容を表示」「イメージ５の内容を表示」「イメージ６の内容を表示」「イメージ７の内容を表示」「イメージ８の内容を表示」「イメージ９の内容を表示」「イメージ１０の内容を表示」「イメージ１１の内容を表示」「イメージ１２の内容を表示」「イメージ１３の内容を表示」「イメージ１４の内容を表示」「イメージ１５の内容を表示」「イメージ１６の内容を表示」「���メージ１７の内容を表示」「イメージ１８の内容を表示」「イメージ１９の内容を表示」「イメージ２０の内容を表示」、等と次項とともに表示され、それらをクリックするとそれぞれに登録されていればそのイメージ、たとえばインターネットから取得したヤフー地図、デジタルカメラから取得した写真、カメラやカメラ付き携帯電話から取得した写真やメモ写真、等いろいろなイメージ媒体から取得したイラスト、写真、等のイメージを見ることができる。【００４５】  また、現場欄の現場名の右１／３の部分の上にマウスを持っていきマウスの左ボタンをクリックすると、前項に加えて次のポップアップメニュー項目、「上記の１〜２０イメージを編集する」、が表示され、クリックするとそれぞれのイメージを登録するページが表示されイメージを登録することができる。【００４６】  現場欄の右端に表示される派遣要請人数の上にマウスを移動するとその下にアンダーラインが表示され、クリックすると、「数を０にする」「数を１にする」「数を２にする」「数を３にする」「数を４にする」「数を５にする」「数を６にする」「数を７にする」「数を８にする」「数を９にする」「数を１０にする」「数を＋１にする」「数を＋２にする」「数を＋３にする」「数を＋４にする」「数を＋５にする」「数を＋１０にする」、等が表示され、クリックし派遣要請人数を設定、変更することができる。【００４７】  警備員欄の現場名の左３分の１の上にマウスを持っていきマウスの左ボタンをクリックすると、以下のようなポップアップメニュー項目、「警備員名、登録年月日、登録後経過日数、を表示」「連絡済かどうか？  を表示（ここをクリックすると切替可能）」「報告済かどうか？  を表示（ここをクリックすると切替可能）」「出入り禁止状態かどうか？、新規入場現場かどうか？、登録者名簿提出済みかどうか？、休暇予定日かどうか？、を表示」「前回のデータ（派遣年月日、派遣現場名）」「前々回のデータ（派遣年月日、派遣現場名）」「常時伝達事項」「今日のメモ１」「今日のメモ２」「今日のメモ３」、その警備員の個別情報がが次項とともに表示される。【００４８】  また、警備員欄の現場名の左３分の１の上にマウスを持っていきマウスの左ボタンをクリックすると、前項に加えて以下のようなたくさんのポップアップメニュー項目、「全登録警備員一覧と情報表示警備員の設定をする」「この警備員の派遣表の基本情報を表示する」「この警備員の今日のメモ、常時伝達事項を表示・編集する」「この警備員の各日付までの派遣先現場リストを表示する」「この警備員の各日付までの登録者名簿提出先現場を表示する」「この警備員の各日付までの出入り禁止現場リストを表示する」「この警備員の各日付までの派遣先現場別月別派遣日数、総派遣日数を表示する」「この警備員の今日のメモ履歴を表示する」「この警備員の派遣日、勤務、派遣先現場履歴を表示する」「この警備員の休暇予定履歴のリストを表示・編集する」「この警備員の現役状況、コメント履歴を表示・編集する」「この警備員の所管支店名、警備員コード、警備員整理コードを表示、変更する」「この警備員の１〜２０の特記事項を表示・編集する」「この警備員の１〜２０のイメージを表示・編集する」���この警備員のランク分類を表示・編集する」「警備員の１〜２０の特記事項のタイトルを表示・編集する」「警備員の１〜２０のイメージのタイトルを表示・編集する」「警備員のランク分類項目、ランク分類の内容を表示・編集する」「この警備員の各日付での勤務時間、労賃、等を表示する」「この警備員の各日付までの勤務時間、労賃、等の履歴を表示する」「この警備員の各日付までの月別の勤務時間、労賃、等を表示する」「この警備員の各日付での売上、粗利率、等を表示する」「この警備員の各日付までの売上、粗利率、等の履歴を表示する」「この警備員の各日付までの月別の売上、粗利率、等を表示する」「この警備員名を非表示にする」、等の項目が表示され、その項目をクリックしてそれぞれのページを開き処理することができる。【００４９】  また、警備員欄の警備員名の中央１／３の部分の上にマウスを持っていきマウスの左ボタンをクリックすると、以下のようなポップアップメニュー項目、「警備員名を表示」「特記事項１の内容を表示」「特記事項２の内容を表示」「特記事項３の内容を表示」「特記事項４の内容を表示」「特記事項５の内容を表示」「特記事項６の内容を表示」「特記事項７の内容を表示」「特記事項８の内容を表示」「特記事項９の内容を表示」「特記事項１０の内容を表示」「特記事項１１の内容を表示」「特記事項１２の内容を表示」「特記事項１３の内容を表示」「特記事項１４の内容を表示」「特記事項１５の内容を表示」「特記事項１６の内容を表示」「特記事項１７の内容を表示」「特記事項１８の内容を表示」「特記事項１９の内容を表示」「特記事項２０の内容を表示」、等とその警備員の特記事項が次項とともに表示される。【００５０】  また、警備員欄の警備員名の中央１／３の部分の上にマウスを持っていきマウスの左ボタンをクリックすると、前項に加えて次のポップアップメニュー項目、「上記の１〜２０特記事項を編集する」、等が表示され、クリックし１〜２０の特記事項を編集することができる。【００５１】  また、警備員欄の警備員名の右１／３の部分の上にマウスを持っていきマウスの左ボタンをクリックすると、以下のようなポップアップメニュー項目、「警備員名を表示」「イメージ１の内容を表示」「イメージ２の内容を表示」「イメージ３の内容を表示」「イメージ４の内容を表示」「イメージ５の内容を表示」「イメージ６の内容を表示」「イメージ７の内容を表示」「イメージ８の内容を表示」「イメージ９の内容を表示」「イメージ１０の内容を表示」「イメージ１１の内容を表示」「イメージ１２の内容を表示」「イメージ１３の内容を表示」「イメージ１４の内容を表示」「イメージ１５の内容を表示」「イメージ１６の内容を表示」「イメージ１７の内容を表示」「イメージ１８の内容を表示」「イメージ１９の内容を表示」「イメージ２０の内容を表示」、等が表示され、それらをクリックするとそれぞれに登録されていればそのイメージ、たとえばインターネットから取得したヤフー写真、デジタルカメラから取得した写真、カメラやカメラ付き携帯電話から取得した写真やメモ写真、等いろいろなイメージ媒体から取得したイラスト、写真、等のイメージを見ることができる。【００５２】  また、警��員欄の警備員名の右１／３の部分の上にマウスを持っていきマウスの左ボタンをクリックすると、前項と同時に次のポップアップメニュー項目、「上記の１〜２０イメージを編集する」、が表示され、クリックするとそれぞれのイメージを登録するページが表示されイメージを登録することができる。【００５３】  そのほか次のような機能、「任意の現場欄から新しい現場名を登録する」「任意の警備員欄から新しい警備員名を登録する」「任意の現場欄に非表示中の現場名を表示する」「任意の警備員欄に非表示中の警備員名を表示する」「現場名を非表示にする」「警備員名を非表示にする」「画面のスクロール」「参照モードから配置モードへの切り替え」「工事現場数、全派遣要請人数、全派遣人数、全連絡済人数、全報告済人数、全稼動警備員数、出入り禁止人数、全派遣警備員数、待機要員数の表示」「タイトル名の変更」「派遣表の使用事務所の表示」「日付け、曜日と勤務の表示」「時計を表示」、等があり派遣表がより便利に使いやすくなっている。【００５４】  メニューバー５に設けられたメニューの「派遣表」には次のようなメニュー項目、「最新の日勤の派遣表を表示する」「最新の夜勤の派遣表を表示する」「新旧・日付の派遣表を表示します」「現在表示中の派遣表の日付を変更してコピーする」「現在表示中の派遣表の現場の要請数を全てゼロにする」「現在表示中の派遣表の警備員の連絡済を全て連絡済あるいは全て未連絡にする」「現在表示中の派遣表の警備員の報告済を全て報告済あるいは全て未報告にする」「画面の最上部から表示する（マウスホイールで画面を上下に移動できます）」「画面の中間部から表示する（マウスホイールで画面を上下に移動できます）」「画面の最下部を表示する（マウスホイールで画面を上下に移動できます）」「警備員を新規登録する」「現場を新規登録する」「元請会社を新規登録する」「現場の元請会社を変更する」「警備員を削除する」「現場を削除する」「元請会社を削除する」「新しい派遣表を新規作成する」「旧日付の派遣表を削除します」、等が表示され、クリックしそれぞれのページを開き処理することができる。【００５５】  メニューバー５に設けられたメニューの「各現場情報」には次のようなメニュー項目、「全登録現場一覧と情報表示現場の設定」「目次」「この現場の派遣表の基本情報を表示する」「この現場の今日のメモ、常時伝達事項を表示・編集する」「この現場の各日付までの派遣警備員リストを表示する」「この現場の各日付までの派遣警備員別月別派遣日数、総派遣日数を表示する」「この現場の登録者名簿提出済警備員を表示・編集する」「この現場の今日のメモ履歴を表示する」「この現場の派遣警備員履歴を表示する」「この現場の派遣要請数、派遣数、欠員数、履歴を表示する」「この現場の出入り禁止、解除警備員を表示・編集及び履歴のリストを表示する」「この現場の工事状況、コメント、履歴のリストを表示・編集する」「この現場の所管支店名、現場コード、現場整理コード、を表示、変更する」「この現場の１〜２０の特記事項を表示・編集する」「この現場の１〜２０のイメージを表示・編集する」「この現場のランク分類を表示・編集する」「現場の１〜２０の特記事項のタイトル��表示・編集する」「現場の１〜２０のイメージのタイトルを表示・編集する」「現場のランク分類項目、ランク分類の内容を表示・編集する」「この現場の各日付での勤務時間、労賃、等を表示する」「この現場の各日付までの勤務時間、労賃、等の履歴を表示する」「この現場の各日付までの月別勤務時間、労賃、等を表示する」「この現場の各日付での売上、粗利率、等を表示する」「この現場の各日付までの売上、粗利率、等の履歴を表示する」「この現場の各日付までの月別売上、粗利率、等を表示する」、等の項目が表示され、その項目をクリックしてそれぞれのページを開き処理することができる。【００５６】  メニューバー５に設けられたメニューの「各警備員情報」には次のようなメニュー項目、「全登録警備員一覧と情報表示警備員の設定をする」「目次」「この警備員の派遣表の基本情報を表示する」「この警備員の今日のメモ、常時伝達事項を表示・編集する」「この警備員の各日付までの派遣先現場リスト」を表示する」「この警備員の各日付までの登録者名簿提出先現場を表示する」「この警備員の各日付までの出入り禁止現場リストを表示する」「この警備員の各日付までの派遣先現場別月別派遣日数、総派遣日数を表示する」「この警備員の今日のメモ履歴を表示する」「この警備員の派遣日、勤務、派遣先現場、履歴を表示する」「この警備員の休暇予定履歴のリストを表示・編集する」「この警備員の現役状況、コメント、履歴を表示・編集する」「この警備員の所管支店名、警備員コード、警備員整理コードを表示、変更する」「この警備員の１〜２０の特記事項を表示・編集する」「この警備員の１〜２０のイメージを表示・編集する」「この警備員のランク分類を表示・編集する」「警備員の１〜２０の特記事項のタイトルを表示・編集する」「警備員の１〜２０のイメージのタイトルを表示・編集する」「警備員のランク分類項目、ランク分類の内容を表示・編集する」「この警備員の各日付での勤務時間、労賃、等を表示する」「この警備員の各日付までの勤務時間、労賃、等の履歴を表示する」「この警備員の各日付までの月別勤務時間、労賃、等を表示する」「この警備員の各日付での売上、粗利率、等を表示する」「この警備員の各日付までの売上、粗利率、等の履歴を表示する」「この警備員の各日付までの月別売上、粗利率、等を表示する」、等の項目が表示され、その項目をクリックしそれぞれのページを開き処理することができる。【００５７】  メニューバー５に設けられたメニューの「各元請会社情報」には次のようなメニュー項目、「全登録元請会社一覧と情報表示元請会社の設定」「目次」「この元請会社の基本情報を表示する」「この元請会社の今日のメモを表示・編集する」「この元請会社の各日付までの工事中現場リストを表示する」「この元請会社の全現場の各日付での工事状況、コメントを表示する」「この元請会社の今日のメモ履歴を表示する」「この元請会社の所管支店名、元請会社名、元請会社コードを表示・編集する」「この元請会社の１〜２０の特記事項を表示・編集する」「この元請会社のランク分類を表示・編集する」「元請会社の１〜２０の特記事項のタイトルを表示・編集する」「元請会社のランク分類項目、ランク分類の内容���表示・編集する」、等の項目が表示され、その項目をクリックしてそれぞれのページを開き処理することができる。【００５８】  メニューバー５に設けられたメニューの「全現場の統計・分析」には次のようなメニュー項目、「全現場の統計・分析の基本情報を表示する」「目次」「全登録現場、コード一覧を表示する」「全現場の各日付までの派遣警備員リストを表示する」「全現場の各日付までの登録者名簿提出済警備員リストを表示する」「全現場の各日付までの月別派遣要請数、派遣数、欠員数を表示する」「全現場の各日付での今日のメモリストを表示する」「全現場の各日付での派遣要請数、派遣数、欠員数、派遣警備員名を表示する」「全現場の各日付での出入り禁止警備員リストを表示する」「全現場の各日付での表示状況、工事状況、登録年月日、コメント、を表示する」「全現場の各日付での派遣表での表示現場、登録日、現場整理コード、元請会社、元請会社コードを表示する」「全現場の１〜２０の特記事項＿ｎ別リストを表示する」「全現場の１〜２０のイメージ＿ｎ別リストを表示する」「全現場のランク分類＿ｎ別リストを表示する」「全現場の各日付での全派遣警備員の勤務時間、労賃、等を表示する」「全現場の各日付までの派遣警備員の月別の勤務時間、労賃、等を表示する」「全現場の各日付までの派遣警備員の月別の勤務時間、労賃、等を項目別に表示する」「全現場の各日付での全派遣警備員の売上、粗利率、等を表示する」「全現場の各日付までの派遣警備員の月別の売上、粗利率、等を表示する」「全現場の各日付までの派遣警備員の月別の売上、粗利率、等を項目別に表示する」「全現場の全派遣警備員の各日付での勤務時間、労賃、等を表示・編集・計算する」「全現場の全派遣警備員の各日付での売上、粗利率、等を表示・編集・計算する」、等の項目が表示され、その項目をクリックしてそれぞれのページを開き処理することができる。【００５９】  メニューバー５に設けられたメニューの「全警備員の統計・分析」には次のようなメニュー項目、「全警備員の統計・分析の基本情報を表示する」「目次」「全登録警備員、コード一覧を表示する」「全警備員の各日付までの派遣先現場リストを表示する」「全警備員の各日付までの月別現場派遣日数を表示する」「全警備員の各日付まで登録者名簿提出先現場リストを表示する」「全警備員の各日付の今日のメモリストを表示する」「全警備員の各日付の派遣先現場リストを表示する」「全警備員の各日付の連絡済、報告済リストを表示する」「全警備員の各日付の出入り禁止現場リストを表示する」「全警備員の各日付以降の休暇予定日リストを表示する」「全警備員の各日付の表示状況、現役状況、コメントを表示する」「全警備員の各日付の派遣表の表示警備員の登録日、警備員コードリストを表示する」「全警備員の１〜２０の特記事項＿ｎ別リストを表示する」「全警備員の１〜２０のイメージ＿ｎ別リストを表示する」「全警備員のランク分類＿ｎ別リストを表示する」「全警備員の各日付での勤務時間、労賃、等を表示する」「全警備員の各日付までの月別の勤務時間、労賃、等を表示する」「全警備員の各日付までの月別の勤務時間、労賃、等をを項目別に表示する」「全警備員の各日付での売上、粗利率、等を表示する」「全警備員の各日付までの月別の売上、粗利率、等を表示する」「全警備員の各日付までの月別の売上、粗利率、等をを項目別に表示する」、等の項目が表示され、その項目をクリックしてそれぞれのページを開き処理することができる。【００６０】  メニューバー５に設けられたメニューの「全元請会社の統計・分析」には次のようなメニュー項目、「全元請会社の統計・分析の基本情報を表示する」「目次」「全登録元請会社、現場、コード一覧を表示する」「各日付現在までの全元請会社一覧を表示する」「各日付現在までの全元請会社の全現場を表示する」「全元請会社の現場別各日付までの派遣要請数、派遣数、欠員数を表示する」「全元請会社の各日付での今日のメモリストを表示する」「全元請会社の現場別各日付での派遣要請数、派遣数、欠員数、派遣警備員名を表示する」「全元請会社の現場別各日付での工事状況、コメントリストを表示する」「全元請会社の現場別の１〜２０の特記事項＿ｎ別リストを表示する」「全元請会社のランク分類＿ｎ別リストを表示する」「全元請会社の現場の各日付での「売上」「粗利率」、等を表示する」「全元請会社の現場別各日付までの月別の売上、粗利率、等を表示する」「全元請会社の現場別各日付までの月別の売上、粗利率、等を項目別に表示する」、等の項目が表示され、その項目をクリックしてそれぞれのページを開き処理することができる。【００６１】  メニューバー５に設けられたメニューの「派遣表情報」には次のようなメニュー項目、「派遣表情報の内容についての説明」「目次」「現場所管支店、本社・支店・出張所・事務所、等を登録・変更する」「警備員所管支店、本社・支店・出張所・事務所、等を登録・変更する」「この派遣表を使用中の事務所の設定」「工事の状況、準備中、工事中、休工中、終了現場、等を登録・変更する」「現役の状況、現役、休職、退社、等を登録・変更する」「勤務の内容、日勤、夜勤、その他、等を登録・変更する」「警備内容、誘導、保安、その他、等を登録・変更する」「資料提出の状況を登録・変更する」「出入り禁止の状況、出入り禁止、出入り禁止解除、等を登録・変更する」「休暇予定、等を登録・変更する」「〆日の日、５日、１０日、．．．、等を登録・変更する」「年度を登録・変更する」「管理者メモ帳の今日のメモを表示・編集する」「管理者メモ帳の今日のメモ履歴を表示する」「タイトルの名称を変更する」「パスワードの設定と変更」「バージョン情報」、等の項目が表示され、その項目をクリックしてそれぞれのページを開き処理することができる。
【産業上の利用可能性】
【００６２】  本発明の人材派遣支援ソフトは、ホワイトボードと併用し効果的に利用することは容易に可能である。
【図面の簡単な説明】
【００６３】
【図１】パソコンの表示画面の派遣先表示欄と派遣員表示欄を表示する基本枠である。
【図２】パソコンの表示画面の１個の派遣先表示欄と２個の派遣員表示欄を表示する基本枠である。
【図３】パソコンの表示画面の１個の派遣先表示欄と４個の派遣員表示欄を表示する基本枠である。
【図４】パソコンの表示画面の５個の派遣先表示欄とそれぞれ４個の派遣員表示欄を表示する表示段枠である。
【図５】パソコンの表示画面の１個の派遣先表示欄とそれぞれ１０個の派遣員表示欄を表示する表示段枠である。
【図６】パソコンの表示画面の５個の派遣先表示欄とそれぞれ４個の派遣員表示欄を表示する表示段枠と１個の派遣先表示欄とそれぞれ１０個の派遣員を表示欄表示する表示段枠を一体にしたものである。
【図７】パソコンの表示画面の派遣先と派遣員を表示する基本枠である。
【図８】パソコンの表示画面の１個の派遣先表示欄と２個の派遣員表示欄を表示する基本枠である。
【図９】パソコンの表示画面の１個の派遣先表示欄と１２個の派遣員表示欄を表示する表示段枠である。
【図１０】パソコンの表示画面の１個の派遣先表示欄とそれぞれ１２個の派遣員表示欄を表示する表示段枠である。
【図１１】パソコンの表示画面の１個の派遣先表示欄とそれぞれ１２個の派遣員表示欄を表示する表示段枠である。
【図１２】パソコンの「警備員・現場派遣表」の表示画面を簡略化した図である。
【符号の説明】
【００６４】  １      現場表示欄
２      警備員表示欄
３      「警備員・現場派遣表」の表示画面
４      パソコン表示画面外縁
５      パソコンのメニューバー
６      表示段枠の追加ポイント
７      表示段枠の削除ポイント
８      現場・警備員段枠
９      待機要員の表示段枠
１０    配置モードあるいは参照モードの表示位置
１１    表示段枠の拡大、縮小の操作ポイント
【図１】
2008250969.tif 000003
【図２】
2008250969.tif 000004
【図３】
2008250969.tif 000005
【図４】
2008250969.tif 000006
【図５】
2008250969.tif 000007
【図６】
2008250969.tif 000008
【図７】
2008250969.tif 000009
【図８】
2008250969.tif 000010
【図９】
2008250969.tif 000011
【図１０】
2008250969.tif 000012
【図１１】
2008250969.tif 000013
【図１２】
2008250969.tif 000014